(57)【要約】【課題】  分散された切替・編集情報を元に映像のメタデータを生成することができるセグメントメタデータ合成装置およびメタデータ生成システムを提供する。【解決手段】  メタデータ生成システムは、セグメントメタデータ合成装置１０１と、主調整室のスイッチャ１０６と、セグメントメタデータ生成装置１０５と、副調整室のスイッチャ１０９と、セグメントメタデータ生成装置１０８と、編集装置１１２と、セグメントメタデータ生成装置１１１とを有する。セグメントメタデータ合成装置１０１は、映像サブシステムの接続関係データを元に合成条件を生成する合成条件生成部０１０３と、前記合成条件に従い、複数のセグメントメタデータの集合を合成するセグメントメタデータ合成部１０２とを含む。【選択図】  図１
2006262299.tif 000002
【特許請求の範囲】
【請求項１】
映像の区間の情報を現す複数のセグメントメタデータを合成することにより、セグメントメタデータの集合を生成するセグメントメタデータ合成装置であって、
映像サブシステムの接続関係データを元に合成条件を生成する合成条件生成部と、
前記合成条件に従い、複数のセグメントメタデータの集合を合成するセグメントメタデータ合成部と、を備えるセグメントメタデータ合成装置。
【請求項２】
請求項１記載のセグメントメタデータ合成装置であって、
前記映像サブシステムの接続関係データを前記複数のセグメントメタデータの集合に重畳する、セグメントメタデータ合成装置。
【請求項３】
請求項１または２記載のセグメントメタデータ合成装置であって、
前記入力セグメントメタデータの集合の１つが、放送局の主調整室の切替情報を元に生成されたセグメントメタデータの集合である、セグメントメタデータ合成装置。
【請求項４】
請求項１ないし３のいずれか１項記載のセグメントメタデータ合成装置であって、
前記入力セグメントメタデータの集合の１つが、前記放送局の副調整室の切替情報を元に生成されたセグメントメタデータの集合である、セグメントメタデータ合成装置。
【請求項５】
請求項１ないし４のいずれか１項記載のセグメントメタデータ合成装置であって、
前記入力セグメントメタデータの集合の１つが編集装置であらかじめ編集された映像の編集情報を元に生成されたセグメントメタデータの集合である、セグメントメタデータ合成装置。
【請求項６】
複数の映像編集・切替装置と、
前記映像編集・切替装置各々に対応したセグメントメタデータ生成装置と、
請求項１記載のセグメントメタデータ合成装置と、を備えるセグメントメタデータ生成システムであって、
１つの映像編集・切替装置は他の映像編集・切替え装置の出力映像を入力とし、前記セグメントメタデータ生成装置は、対応した映像編集・切替え装置の編集・切替情報を元に前記セグメントメタデータの集合を生成し出力し、前記セグメントメタデータ合成装置は該セグメントメタデータ合成装置から出力された複数のセグメントメタデータの集合と前記複数の映像編集・切替え装置の接続関係データを入力とする、セグメントメタデータ生成システム。
【請求項７】
請求項６記載のセグメントメタデータ生成システムであって、
映像サブシステムの接続関係データを前記セグメントメタデータ合成装置の出力のセグメントメタデータの集合に重畳する、セグメントメタデータ生成システム。
【請求項８】
請求項６または７記載のセグメントメタデータ生成システムであって、
前記一つの映像編集・切替え装置が放送局の主調整室のスイッチャである、セグメントメタデータ生成システム。
【請求項９】
請求項６ないし８のいずれか１項記載のセグメントメタデータ生成システムであって、
前記他の映像編集・切替え装置の一つが、前記放送局の副調整室のスイッチャである、セグメントメタデータ生成システム。
【請求項１０】
請求項６ないし９のいずれか１項記載のセグメントメタデータ生成システムであって、
前記他の映像編集・切替え装置の一つが編集装置である、セグメントメタデータ生成システム。
【発明の詳細な説明】
【技術分野】
【０００１】
本発明は、放送局において放送された映像のセグメントメタデータを自動的に合成するセグメントメタデータ合成装置及び当該合成装置を利用したメタデータ生成システムに関するものである。
【背景技術】
【０００２】
２００６年に開始が予定されているサーバー型放送では、放送された映像や情報を受信機に蓄積し、活用するサービスが行われる。そのサービスの例としては、放送される映像の区間に関する情報を記述したセグメントメタデータを利用し、マルチメディアコンテンツから蓄積された放送映像の一部区間、例えば番組の見所のみを抽出して視聴することを可能にするダイジェスト視聴等が提供される見込みである。
【０００３】
従来、セグメントメタデータを自動的に生成する方法として、映像や音声などの自動認識技術を用いる方法（例えば、特許文献１参照）や、番組構成表と映像のスイッチング情報を用いる方法（例えば、非特許文献１参照）などがある。  
【０００４】
【特許文献１】特許公開２００４−８６１２４
【非特許文献１】高林和彦，加井謙二郎：「映像スイッチング情報のメタデータとしての活用に関する検討」，２００１年映像情報メディア学会  年次大会  ２００１年８月
【発明の開示】
【発明が解決しようとする課題】
【０００５】
従来のセグメントメタデータを生成する方法は、サッカー中継システムやニュースサブシステムなど、ひとつの番組向けの副調整室レベルで出力された映像に対するセグメントメタデータを付与することを想定している。しかしながら、放送局では、収録番組カート、ＣＭカート、さまざまなサブスタジオなど、分散された映像切替送出設備からの映像を、主調整室のスイッチャで切り替えて放送しており、これらの全ての設備の切替情報をメタデータ生成装置に入力したり、収録番組など過去に映像切替処理が行われた番組の切替情報をメタデータ生成装置に同時に入力しようとすると全体システムが複雑になるという問題があった。
【０００６】
本発明は、従来の問題を解決するためになされたもので、システムを複雑化せずに放送映像のセグメントメタデータを合成することのできるセグメントメタデータ合成装置、および該セグメントメタデータを利用したメタデータ生成システムを提供することを目的とする。
【課題を解決するための手段】
【０００７】
本発明のセグメントメタデータ合成装置は、映像サブシステムの接続関係データを元に合成条件を生成する合成条件生成部と、前記合成条件に従い、複数のセグメントメタデータの集合を合成するセグメントメタデータ合成部を有している。
【０００８】
この構成により、分散された切替・編集情報を元に映像のセグメントメタデータを合成することができる。
【０００９】
さらに、本発明のセグメントメタデータ合成装置は、映像サブシステムの接続関係データを複数のセグメントメタデータの集合に重畳する。
【００１０】
この構成により、映像の接続関係データを別途扱う必要が無くなり、データの処理が容易になる。
【００１１】
さらに、本発明のセグメントメタデータ合成装置は、入力セグメントメタデータの集合の１つが、放送局の放送局の主調整室の切替情報を元に生成されたセグメントメタデータの集合である。
【００１２】
この構成により、放送局のような全ての番組映像が最終的に主調整室で切り替えられる場合の映像のセグメントメタデータを合成することが出来る。
【００１３】
さらに、本発明のセグメントメタデータ合成装置は、入力セグメントメタデータの集合の１つが、放送局の副調整室の切替情報を元に生成されたセグメントメタデータの集合である。
【００１４】
この構成により、放送局のような副調整室と主調整室で多段階に映像が切り替えられる場合の映像のセグメントメタデータを合成することが出来る。
【００１５】
さらに、本発明のセグメントメタデータ合成装置は、入力セグメントメタデータの集合の１つが、編集装置であらかじめ編集された映像の編集情報を元に生成されたセグメントメタデータの集合である。
【００１６】
この構成により、収録番組のようなあらかじめ収録・編集されて、完成された映像を番組として放送する場合の映像のセグメントメタデータを合成することが出来る。
【００１７】
また、本発明のセグメントメタデータ生成システムは、複数の映像編集・切替装置とそれぞれに対応したセグメントメタデータ生成装置と、上述のセグメントメタデータ合成装置とを備える。該セグメントメタデータ生成システムは、１つの映像編集・切替装置は他の映像編集・切替え装置の出力映像を入力とし、セグメントメタデータ生成装置は対応した映像編集・切替え装置の編集・切替情報を元にセグメントメタデータの集合を生成し出力し、セグメントメタデータ合成装置は前記セグメントメタデータ生成装置から出力された複数のセグメントメタデータの集合と前記映像編集・切替え装置の接続関係データを入力とする。
【００１８】
この構成により、分散された映像編集・切替装置の情報を元に映像のセグメントメタデータを生成することができる。
【００１９】
さらに、本発明のセグメントメタデータ生成システムは、映像サブシステムの接続関係データをセグメントメタデータ生成装置の出力のセグメントメタデータの集合に重畳する。
【００２０】
この構成により、映像の接続関係データを別途扱う必要が無くなり、データの処理が容易になる。
【００２１】
さらに、本発明のセグメントメタデータ生成システムは、一つの映像編集・切替え装置が放送局の主調整室のスイッチャである。
【００２２】
この構成により、放送局のような全ての番組映像が最終的に主調整室で切り替えられる場合の映像のセグメントメタデータを合成することが出来る。
【００２３】
さらに、本発明のセグメントメタデータ生成システムは、他の映像編集・切替え装置の一つが放送局の副調整室のスイッチャである。
【００２４】
この構成により、放送局のような副調整室と主調整室で多段階に映像が切り替えられる場合の映像のセグメントメタデータを合成することが出来る。
【００２５】
さらに、本発明のセグメントメタデータ生成システムは、他の映像編集・切替え装置の一つが編集装置である。
【００２６】
この構成により、収録番組のようなあらかじめ収録・編集されて、完成された映像を番組として放送する場合の映像のセグメントメタデータを合成することが出来る。
【発明の効果】
【００２７】
本発明は、分散された切替・編集情報を元に映像のセグメントメタデータを合成することができるセグメントメタデータ合成装置およびメタデータ生成システムを提供することができる。
【発明を実施するための最良の形態】
【００２８】
以下、本発明の実施形態について、図面を用いて説明する。図１は、本発明の実施形態のメタデータ生成システムを示す。
【００２９】
図１において、メタデータ生成システムは、セグメントメタデータ合成装置１０１と、主調整室のスイッチャ１０６と、セグメントメタデータ生成装置１０５と、副調整室のスイッチャ１０９と、セグメントメタデータ生成装置１０８と、編集装置１１２と、セグメントメタデータ生成装置１１１と、を有する。
【００３０】
セグメントメタデータ合成装置１０１は、映像サブシステムの接続関係データを元に合成条件を生成する合成条件生成部１０３と、前記合成条件に従い、複数のセグメントメタデータの集合を合成するセグメントメタデータ合成部１０２とを含む。映像サブシステムとは、局内の映像を扱う個々のシステムを意味しており、図１の主調整室のスイッチャ１０６、副調整室のスイッチャ１０９、編集装置１１２各々をさす。
【００３１】
セグメントメタデータ生成装置１０５，１０８，１１１各々は、各々に接続された映像サブシステムからの情報を元に、セグメントメタデータを生成する。また、セグメントメタデータ生成装置１０５，１０８，１１１各々は、セグメントメタデータの集合を、番組やＣＭの１映像など、映像の意味のある範囲ごとにまとめる役割をはたす。従って、１つの集合内のセグメントメタデータが対象としている番組映像のＩＤは同一となる。セグメントメタデータ生成装置１０５は、放送局の主調整室の切替情報を元に生成されたセグメントメタデータ集合１０４を生成し、セグメントメタデータ生成装置１０８は、副調整室の切替情報を元に生成されたセグメントメタデータ集合１０７を生成し、セグメントメタデータ生成装置１１１は、編集情報を元に生成されたセグメントメタデータ集合１１０を生成する。
【００３２】
セグメントメタデータ合成装置１０１には、サブシステムの接続関係データ１１３が入力され、更に入力された各セグメントメタデータ集合１０４，１０７，１１０を基に、合成結果のセグメントメタデータ集合１１４を出力する。
【００３３】
図２は、実施形態のメタデータ生成システムにおける映像の接続関係を示している。図２において、副調整室のスイッチャ１０９の出力映像は、主調整室のスイッチャ１０６の入力input1に入力され、編集装置１１２で編集された映像は、一旦ＣＭバンク２０４に保管された後、放送時に送出され、主調整室のスイッチャ１０６の入力input2に入力される。
【００３４】
以上のように構成されたメタデータ生成システムについて、以下その動作を説明する。
【００３５】
図１において主調整室のスイッチャ１０６の切替情報を元にセグメントメタデータ生成装置１０５はセグメントメタデータ集合１０４を生成する。セグメントメタデータ集合１０４における映像の１区間を記述したセグメントメタデータの例を図６および図７に示す。図６ではこのセグメントメタデータが対象としている主調整室のスイッチャ１０６の出力番組映像を示す項目「ProgramRef」６０１の値は、識別子「id://master/2004.09.09/18.50」であり、映像の区間の開始時刻を表す項目「In」６０４の値は、出力番組映像の開始時刻から相対的な時間で０秒を表す「rel:00:00:00」、映像の区間の開始時刻を表す項目「Out」６０５の値は出力番組映像の開始時刻から相対的な時間で４分３０秒を表す「rel:00:04:30」、映像の入力を表す項目「SourceRef」６０６の値は識別子「input://master/input1」で表されるマスタースイッチャのinput1の入力であることを示す。
【００３６】
図７は接続関係がメタデータに重畳された場合である。項目名「SourceRef」７０６の値が、マスタースイッチャの入力の識別子ではなく、主調整室のスイッチャの入力に接続されたＣＭバンクで送出された映像のＩＤ「id://cm/panasonic/2004/fall/digicam1」になっている。これにより、主調整室のスイッチャとＣＭバンクの接続関係を接続関係データ１１３に記述しなくてもよくなる。
【００３７】
また、セグメントメタデータ集合１０４における集合の対象としている映像全体を記述したセグメントメタデータの記述例を図８に示す。図８ではこのセグメントメタデータが対象としている番組映像を現す項目「ProgramRef」８０１の値は、識別子「id://master/2004.09.09/18.50」と、図６および図７で示した２つのセグメントメタデータと同じ（つまり同じ集合に属する）であることを示す。番組映像の開始を表す項目「StartTime」８０２の値は、2004年9月9日の18時50分を意味する「2004.09.09.18:50:00」であり、番組映像の終了を表す項目「EndTime」８０３の値は、2004年9月9日の18時55分を意味する「2004.09.09.18:55:00」であり、出力を表す項目「OutputRef」８０４の値は、識別子が「output://master」である主調整室の出力から送出されたことを示す。
【００３８】
また、図１において、副調整室のスイッチャ１０９の切替情報を元に、セグメントメタデータ生成装置１０８はセグメントメタデータ集合１０７を生成する。セグメントメタデータ集合１０７における映像の１区間を記述したセグメントメタデータの例を図３に示す。図３の項目３０１ではこのセグメントメタデータが対象としている映像の識別子は「id://newssub1/2004.09.09」を表しており、項目３０４と項目３０５では、このセグメントメタデータが示す映像の区間は出力映像において番組開始時刻から相対的な時間で０秒から２分３０秒までであることを示し、タイトルを表す項目「Title」３０２では値が「台風１８号情報」であり、内容を表す項目「Synopsis」３０３では値が「各地の台風１８号の被害状況」であることを示す。
【００３９】
同様に、セグメントメタデータ集合１０７における映像の別の１区間を記述したセグメントメタデータの例を図４に示す。図４の項目４０１では、このセグメントメタデータが対象としている映像の識別子は「id://newssub1/2004.09.09」と図３で示したセグメントメタデータと同じ（つまり同じ集合に属する）であることを示し、項目４０４と項目４０５ではこのセグメントメタデータが示す映像の区間は出力映像において番組開始時刻から相対的な時間で２分３０秒から４分３２秒までであることを示し、項目４０２はタイトルが「明日の天気」であることを示し、項目４０３では内容が「明日の各地の天気予報」であることを示す。
【００４０】
また、セグメントメタデータ集合１０７における集合の対象としている映像全体を記述したセグメントメタデータの記述例を図５に示す。図５では項目５０１でこのセグメントメタデータが対象としている映像の識別子は「id://newssub1/2004.09.09」と図３および図４で示した２つのセグメントメタデータと同じ（つまり同じ集合に属する）であることを示し、項目「StartTime」５０２では番組の開始時刻が2004年9月9日の18時50分であることを示し、項目「EndTime」５０３では番組の終了時刻が18時55分であることを示し、項目「OutputRef」５０４では識別子が「output://newssub1」である副調整室の出力から送出されたことを示す。
【００４１】
また、図１において、編集装置１１２の編集情報を元にセグメントメタデータ生成装置１１１はセグメントメタデータ集合１１０を生成する。この集合に属するセグメントメタデータの例を図９に示す。図９の項目９０１ではこのメタデータが対象としている映像の識別子は「id://cm/panasonic/2004/fall/digicam1」であり、項目９０４と項目９０５ではこのセグメントメタデータが示す映像の区間はこの映像において映像開始時刻から相対的な時間で０秒から３０秒までであることを示し、項目９０２はタイトルが「Panasonic 3CCD 愛情サイズ」であることを示し、項目９０３では内容が「運動会も、高画質が愛情です」であることを示す。
【００４２】
また、図１において、合成条件生成部１０３は、サブシステムの接続関係データ１１３を元にメタデータ合成条件を生成し、セグメントメタデータ合成部１０２に渡す。セグメントメタデータ合成部１０２はセグメントメタデータ集合１０４およびセグメントメタデータ集合０１０７およびセグメントメタデータ集合１１０をメタデータ合成条件に従い合成し、合成結果のセグメントメタデータ集合１１４を出力する。
【００４３】
以下セグメントメタデータ合成部１０２および合成条件生成部１０３の動作を説明する。
【００４４】
図１０はサブシステムの接続関係データ１１３の例であり、１行が１つの接続情報を表す。図１０の１行目１００１は入力を表す項目「入力」１００２の値は識別子が「input://master/input1」である主調整室のスイッチャのinput1であり、input1に現在の接続関係である副調整室のスイッチャ１０９との接続が開始された開始時刻を表す項目「開始」１００３の値は2003年4月1日00時00分を表す「2003.04.01.00:00:00」であり、「終了」１００４の値は空白になっており、入力端子の接続先を示す項目「接続先」１００５の値は識別子が「output://newssub1」である副調整室の出力映像であったことを示す。このサブシステムの接続関係データ１００１を読み込んだ合成条件生成部１０３は「2003年4月1日0時0分以降の入力がinput://master/input1である区間のセグメントメタデータ（以下セグメントメタデータＡ）は、出力がoutput://newssub1である映像のセグメントメタデータ（以下セグメントメタデータＢ）と合成する」という合成条件を生成する。この合成条件を受け渡されたセグメントメタデータ合成部１０２は、図６で示されるセグメントメタデータの入力がinput://master/input1となっており、セグメントメタデータＡのセグメントメタデータ合成対象の条件に合うため、合成対象のセグメントメタデータＢを探す。図３および図４で示されるセグメントメタデータが属するセグメントメタデータ集合の対象としている映像全体を記述した図５のセグメントメタデータの出力がoutput://newssub1となっておりセグメントメタデータＢの条件に合うため、図６で示されるセグメントメタデータと合成する。図６と図３のセグメントメタデータ合成した例を図１１に、図６と図４のセグメントメタデータ合成した例を図１２に示す。
【００４５】
合成において、項目「ProgramRef」はセグメントメタデータＡの値を、残りの項目はセグメントメタデータＢの値を利用するが、セグメントメタデータＢの時間区間がセグメントメタデータＡの範囲を超えている場合、セグメントメタデータＡの時間区間に合わせ短くされる。セグメントメタデータＡの属するセグメントメタデータの集合が対象とする映像の開始時刻とセグメントメタデータＢの属するセグメントメタデータの集合が対象とする映像の開始時刻がずれている場合は、このずれを加味して絶対時刻で時間の計算を行い、セグメントメタデータＡの対象とする映像の開始時刻からの相対時刻で表現された時間を値とする。
【００４６】
図１１において、項目「ProgramRef」１１０１の値は項目「ProgramRef」６０１の値である「id://master/2004.09.09/18.50」に設定し、項目「Title」１１０２の値は項目「Title」３０２の値「台風18号情報」を設定し、項目「Synopsis」１１０３の値は項目「Synopsis」３０３の値「各地の台風18号の被害状況」を設定し、項目「In」１１０４の値は項目「In」３０４の値「rel:00:00:00」に設定し、項目「Out」１１０５の値は３０５の値「rel:00:02:30」に設定し、項目「SourceRef」１１０６の値は３０６の値「」（内容なし）に設定される。
【００４７】
同様に、図１２において、項目「ProgramRef」１２０１の値は項目「ProgramRef」６０１の値である「id://master/2004.09.09/18.50」に設定し、項目「Title」１２０２の値は項目「Title」４０２の値「明日の天気」を設定し、項目「Synopsis」１２０３の値は項目「Synopsis」４０３の値「明日の各地の天気予報」を設定し、項目「In」１２０４の値は項目「In」４０４の値「rel:00:02:30」に設定する。項目「Out」１２０５の値は４０５の値「rel:00:04:32」が６０５の値「rel:00:04:30」をオーバーしているので短くされ「rel:00:04:30」に設定される。項目「SourceRef」１２０６の値は４０６の値「」（内容なし）に設定される。
【００４８】
また、項目「SourceRef」の値が「id://...」となっている場合、セグメントメタデータに接続関係が重畳されており、この区間に対象とする収録映像が差し込まれたと判断され、サブシステムの接続関係データ１１３から生成される合成条件とは関係なく合成が行わる。図７が示すセグメントメタデータでは項目「SourceRef」７０６に「id://cm/panasonic/2004/fall/digicam1」が記述されているため、「ProgramRef」９０１が「id://cm/panasonic/2004/fall/digicam1」である図９が示すセグメントメタデータと合成する。合成した結果を図１３に示す。項目「ProgramRef」１３０１の値は項目「ProgramRef」７０１の値である「id://master/2004.09.09/18.50」に設定し、項目「Title」１３０２の値は項目「Title」９０２の値を設定し、項目「Synopsis」１３０３の値は項目「Synopsis」９０３の値を設定し、項目「SourceRef」１３０６の値は９０６の値「」（内容なし）に設定する。収録映像が差し込まれたと判断されたため、項目「In」１３０４の値は項目「In」７０４の値「rel:00:04:30」に設定し、項目「Out」１３０５の値は７０５の値「rel:00:05:00」に設定する。
【００４９】
以上のように、本発明の実施形態によれば、映像サブシステムの接続関係データを元に、合成条件生成部は合成条件を生成し、生成された合成条件に従い、セグメントメタデータ合成部は複数のセグメントメタデータの集合を生成する。従って、放送局の全ての映像サブシステムからの信号を１箇所に集める必要が無く、それぞれの映像サブシステムで独立して生成されたセグメントメタデータを元に、最終的な出力のセグメントメタデータの集合を合成することが可能である。
【００５０】
なお、以上の説明では映像編集・切替装置を主調整室のスイッチャと、副調整室のスイッチャおよび編集装置で構成した例を示したが、これ以外にもＡＰＣ（自動番組送出装置）、ＣＭバンク、番組バンク、報道支援システム、収録番組の支援システム、手動のインデクシング装置、リプレイ映像の生成装置、その他の映像や番組の情報を扱う装置などについても同様に実施可能である。また、セグメントメタデータを各種信号を元に生成したものとして例を示したが、画像認識などの認識技術を利用して生成されたものや、手動で制作されたものでもよい。
【００５１】
以上、本発明の各種実施形態を説明したが、本発明は前記実施形態において示された事項に限定されず、明細書の記載、並びに周知の技術に基づいて、当業者がその変更・応用することも本発明の予定するところであり、保護を求める範囲に含まれる。
【産業上の利用可能性】
【００５２】
以上のように、本発明にかかるセグメントメタデータ合成装置およびメタデータ生成システムは、分散された切替・編集情報を元に映像のメタデータを生成、提供することができ、放送局において放送された映像のセグメントメタデータを自動的に合成する装置等として有用である。
【図面の簡単な説明】
【００５３】
【図１】本発明の実施形態におけるメタデータ生成システムのブロック図
【図２】本発明の実施形態における映像の接続関係のブロック図
【図３】本発明の実施形態における副調整室の出力映像の１区間を既述したセグメントメタデータの例
【図４】本発明の実施形態における副調整室の出力映像の１区間を既述した別のセグメントメタデータの例
【図５】本発明の実施形態における副調整室の出力映像全体を既述したセグメントメタデータの例
【図６】本発明の実施形態における副調整室の出力映像の１区間を既述したセグメントメタデータの例
【図７】本発明の実施形態における主調整室の出力映像の１区間を既述した別のセグメントメタデータの例
【図８】本発明の実施形態における主調整室の出力映像全体を既述したセグメントメタデータの例
【図９】本発明の実施形態における編集装置で編集された映像の１区間を既述したセグメントメタデータの例
【図１０】本発明の実施形態におけるサブシステムの接続関係データの例
【図１１】本発明の実施形態における合成結果出力例１
【図１２】本発明の実施形態における合成結果出力例２
【図１３】本発明の実施形態における合成結果出力例３
【符号の説明】
【００５４】
１０１  セグメントメタデータ合成装置
１０２  セグメントメタデータ合成部
１０３  合成条件生成部
１０５  セグメントメタデータ生成装置
１０６  主調整室のスイッチャ
１０８  セグメントメタデータ生成装置
１０９  副調整室のスイッチャ
１１１  セグメントメタデータ生成装置
１１２  編集装置
２０４  ＣＭバンク
【図１】
2006262299.tif 000003
【図２】
2006262299.tif 000004
【図３】
2006262299.tif 000005
【図４】
2006262299.tif 000006
【図５】
2006262299.tif 000007
【図６】
2006262299.tif 000008
【図７】
2006262299.tif 000009
【図８】
2006262299.tif 000010
【図９】
2006262299.tif 000011
【図１０】
2006262299.tif 000012
【図１１】
2006262299.tif 000013
【図１２】
2006262299.tif 000014
【図１３】
2006262299.tif 000015